(57)【要約】      （修正有）【課題】病院や薬局で１週間分以上の量の薬が処方された場合には、容器に薬を収納しきれず、置き場所に困ったり、４週間に１回の薬の服用を忘れてしまって、薬等を医者や薬剤師の指示通り服用できないという欠点を改善して使い勝手の良い薬収納器を提供する。【解決手段】引出し部２を有するケース本体１と、複数の薬室４が形成されると共に各薬室４毎に蓋５を有する収納容器３と、ケース本体１上に載置されると共に７個の収納容器３を着脱自在に保持する受皿状支持盤６とを、備えている。【選択図】図１
2015000101.tif 000002
【特許請求の範囲】
【請求項１】
引出し部（２）を有するケース本体（１）と、複数の薬室（４）が形成されると共に各薬室（４）毎に蓋（５）を有する収納容器（３）と、上記ケース本体（１）上に載置されると共に７個の上記収納容器（３）を着脱自在に保持する受皿状支持盤（６）とを、備えたことを特徴とする薬収納器。
【請求項２】
上記引出し部（２）の前面に、フック部材（７）を取付けている、又は、フック（２７）を着脱自在とした請求項１記載の薬収納器。
【請求項３】
帯板状のホワイトボード（８）が、上記引出し部（２）の前面に付設され、かつ、水性ペン（９）が、上記ケース本体（１）に着脱自在に取付けられている請求項１又は２記載の薬収納器。
【請求項４】
付箋引出し台紙（１０）が、上記ケース本体（１）に付設されている請求項１，２又は３記載の薬収納器。
【請求項５】
上記支持盤（６）は、側壁部（６Ａ）又は底壁部（６Ｂ）に鋼板（１９）を有し、かつ、上記収納容器（３）の長手方向一端面（３Ａ）又は裏面（３Ｂ）にマグネット（１８）を付設し、上記収納容器（３）は、上記マグネット（１８）を上記鋼板（１９）に吸着させて上記支持盤（６）に保持されている請求項１，２，３又は４記載の薬収納器。
【発明の詳細な説明】
【技術分野】
【０００１】
本発明は、薬収納器に関する。
【背景技術】
【０００２】
従来、薬やサプリメントを１日に複数回に分けて服用する必要がある者のために、薬等の飲み忘れを防止し、かつ、時間帯毎に１回服用分の薬を予め分けて入れておくための薬の服用予定ボードが提案されている（特許文献１参照）。
また、近年、固形医薬品が収容されたＰＴＰシートを２つ折りの厚紙に挟み込んだカード型包装体が使用されている（特許文献２参照）。
【先行技術文献】
【特許文献】
【０００３】
【特許文献１】特開２０１１−２４５２５４号公報
【特許文献２】特開２００９−２０８８１２号公報
【発明の概要】
【発明が解決しようとする課題】
【０００４】
しかし、特許文献１記載の薬の服用予定ボードは、朝・昼・夕の各１回服用分の薬を１週間分（７日分）だけ収納するように複数の小さな容器が配置されていた。このため、病院や薬局で１週間分以上の量の薬が処方された場合には、容器に薬を収納しきれず、置き場所に困っていた。また、特許文献２記載のカード型包装体は、小さな容器に収納できないという欠点があった。
また、例えば、４週間に１回だけ服用する薬が上記カード型包装体に収容されている場合には、これに対応する容器が無く、服用者が高齢者や感覚の衰えた身体弱者である場合には、４週間に１回の薬の服用を忘れてしまって、薬等を医者や薬剤師の指示通り服用できないという欠点があった。また、この容器には、蓋がないため、内部に収納した薬が飛び出してしまう虞れがあった。
【０００５】
そこで、本発明は、従来の上記問題点を改善して使い勝手の良い薬収納器を提供することを目的とする。
【課題を解決するための手段】
【０００６】
本発明に係る薬収納器は、引出し部を有するケース本体と、複数の薬室が形成されると共に各薬室毎に蓋を有する収納容器と、上記ケース本体上に載置されると共に７個の上記収納容器を着脱自在に保持する受皿状支持盤とを、備えたものである。
【０００７】
また、上記引出し部の前面に、フック部材を取付けている、又は、フックを着脱自在としたものである。
また、帯板状のホワイトボードが、上記引出し部の前面に付設され、かつ、水性ペンが、上記ケース本体に着脱自在に取付けられているものである。
また、付箋引出し台紙が、上記ケース本体に付設されているものである。
また、上記支持盤は、側壁部又は底壁部に鋼板を有し、かつ、上記収納容器の長手方向一端面又は裏面にマグネットを付設し、上記収納容器は、上記マグネットを上記鋼板に吸着させて上記支持盤に保持されているものである。
【発明の効果】
【０００８】
本発明の薬収納器によれば、７個の収納容器の各薬室に薬やサプリメントを入れて支持盤に取付けておくことで、１週間分の薬等の服用を管理でき、飲み忘れを防ぐことができ、かつ、収納容器に入りきらない薬等はケース本体の引出し部に入れて保管できる。収納容器の薬室の蓋を１個ずつ開けて、１回服用分の薬等を容易に取り出すことができ、薬やサプリメントが飛び出すリスクを軽減して衛生的に管理できる。また、収納容器を携帯して持ち運ぶこともできる。４週間に１回服用する薬をケース本体の見え易い所に設置しておくことで、薬の飲み忘れを防止でき、医師や薬剤師の指示どおり適正に薬を服用することができる。
【図面の簡単な説明】
【０００９】
【図１】本発明の実施の一形態を示した斜視図である。
【図２】本発明の薬収納器の使用状態を示した斜視図である。
【図３】平面図である。
【図４】正面図である。
【図５】収納容器を示した図であり、（Ａ）は平面図であり、（Ｂ）は一部断面で示した側面図である。
【図６】支持盤を水平状に載置した状態を一部断面で示した側面図である。
【図７】支持盤を傾斜状に載置した状態を一部断面で示した側面図である。
【図８】本発明の他の実施形態を示した平面図である。
【図９】本発明の他の実施形態を示した正面図である。
【図１０】収納容器の他の実施形態を示した図であり、（Ａ）は平面図であり、（Ｂ）は一部断面で示した側面図である。
【図１１】他の実施形態の使用状態を示した側面図である。
【発明を実施するための形態】
【００１０】
以下、実施の形態を示す図面に基づき本発明を詳説する。
図１と図２に示すように、本発明の薬収納器は、引出し部２を有するケース本体１と、複数の薬室４が形成されると共に各薬室４毎に蓋５を有する収納容器３と、ケース本体１上に載置されると共に７個の収納容器３を着脱自在に保持する受皿状支持盤６とを、備えている。
ケース本体１は、合成樹脂から成り、収納空間を備える引出し部２を、前方引出し自在に有している。
図２と図５に示すように、収納容器３は、透明又は半透明の合成樹脂から成り、平面視縦長の長方形状に一体形成されている。収納容器３は、４つの薬室４を備え、その各々に開閉自在の蓋５を有している。蓋５の前面には、「あさ」「ひる」「よる」「ねる前」と記載された時間帯表示部２１が印刷されている。蓋５の一端は、ヒンジ部５ａをもって連結され、夫々が独立して揺動自在に設けられている。蓋５の他端には、各々に係止片１３が形成されている。また、収納容器３は、円弧状の舌片２０を有している。
つまり、収納容器３の薬室４には、各々に１回服用分の薬を収納し、１個の収納容器３で１日分の薬を収納可能である。薬室４は、比較的小さな容量の収納空間を備え、収納容器３は全体としてコンパクトで、携帯に便利である。薬として、錠剤、顆粒剤、粉剤、カプセル等を含み、サプリメントも収納できる。
【００１１】
図１〜図４に示すように、支持盤６は、合成樹脂から成り、左から順に「日」「月」「火」「水」「木」「金」「土」の７つの曜日を示した曜日表示部１７を有している。また、支持盤６には、７個の収納容器３を並列状に配置して収納する凹状容器収容部１６が形成されている。即ち、７個の収納容器３とは、言い換えれば、７日分（の収納容器３）であって、７個の収納容器３には、１週間分の薬を収納可能である。容器収容部１６の底面には、複数の仕切り片１５が突設され、収納容器３を仕切り片１５，１５間に嵌め込んで位置決めしている。
図６に示すように、支持盤６は、ケース本体１の上に水平状に載置しても良く、又は、図７に示すように、傾斜状に載置しても良い。
支持盤６は、下方突出状の脚片部１２を有し、図６の水平状載置状態で、ケース本体１の上端周縁部１１に脚片部１２が嵌込まれて載置されている。図７に示す傾斜状載置状態に於て、脚片部１２をケース本体１の上端周縁部１１に係止すると共に、支持盤６の裏面に差込片部材２２を取付けてケース本体１に支持して、支持盤６を立て掛けて（傾斜状に）載置している。なお、ケース本体１の上面に、差込片部材２２の滑り止め用の係止小突起２４を形成するも好ましい。
なお、図示省略するが、支持盤６は、ケース本体１上から取外して、テーブルに置いたり、壁掛けしたり、あるいは、他の台の上に載置する等、自由に切替えが可能である。
【００１２】
図１と図２に示すように、上方突出状の鉤部１４を有するフック部材７が、引出し部２の前面に付設されている。
フック部材７は、合成樹脂から成り、表て面に鉤部１４を突設している。フック部材７の裏面には、引出し部２の前方平面に対して粘着剥離自在の粘着層を備えている。この粘着層は、ポリウレタンフォームから成る。
図２では、フック部材７に、カード型包装体３０が吊して取付けられている。このカード型包装体３０は、固形医薬品Ｍが収容されたＰＴＰシートが、２つ折りにされた厚紙に挟まれてなるものである。カード型包装体３０には、鉤部１４を挿通するための貫通孔部３１が形成されている。
【００１３】
また、帯板状のホワイトボード８が、引出し部２の前面に付設され、かつ、水性ペン９が、ケース本体１に着脱自在に取付けられている。
ホワイトボード８は、水性ペン９で書き込み可能な樹脂層を、表て面に積層し、裏面には、引出し部２の前方平面に対して粘着剥離自在の粘着層を備えている。水性ペン９は、キャップ側面に粘着層を備え、キャップを閉めた状態でケース本体１に粘着剥離自在に取着されている。
【００１４】
さらに、付箋引出し台紙１０が、ケース本体１に付設されている。
付箋引出し台紙１０は、複数の付箋束を収納し、開口部から付箋を１枚ずつ取出し可能として構成されたものである。付箋引出し台紙１０は、裏面に粘着層を備え、ケース本体１に粘着剥離自在に取着されている。
【００１５】
図６と図７に示すように、支持盤６は、側壁部６Ａに鋼板１９を有し、図５に示すように、収納容器３の長手方向一端面３Ａにマグネット１８を付設している。図６と図７では、収納容器３は、マグネット１８を鋼板１９に吸着させて支持盤６に保持されている。
なお、鋼板１９は、支持盤６の底壁部６Ｂに配設しても良く、マグネット１８は、収納容器３の裏面３Ｂに配設して、マグネット１８を鋼板１９に吸着させて収納容器３が支持盤６に保持されるも好ましい。
収納容器３は、舌片２０を前方に引くと、マグネット１８と鋼板１９を引き離して、収納容器３を容器収容部１６から容易に取り出せるように構成されている。
【００１６】
上述した本発明の薬収納器の使用方法（作用）について説明する。
図２に示すように、収納容器３の薬室４に、１日分の薬又はサプリメントを時間帯毎に（１回に服用する量を）分けて入れ、支持盤６の容器収容部１６に取付ける。収納容器３は、７個（７日分）用意し、支持盤６に７列に並べて収納して、１週間分の薬等の服用を管理できるようにしておく。１週間以上先の期間に服用する予定の薬やサプリメント、即ち、収納容器３に入りきらない薬等は、ケース本体１の引出し部２に入れて保管する。
【００１７】
カード型包装体３０は、フック部材７に吊して引出し部２の前面に取付けておく。例えば、カード型包装体３０に収容された固形医薬品Ｍが、４週間に１回だけ服用するものである場合には、ホワイトボード８に、水性ペン９で、服用する予定の日を書いておく。又は、カード型包装体３０に付箋を貼り付けて、水性ペン９で、付箋に服用する予定の日を書いておくも望ましい。このようにして、高齢者や感覚の衰えた服用者の飲み忘れを防ぐ。
収納容器３の薬室４は、１個ずつ蓋５を開けて、１回服用分の薬等を容易に取り出すことができ、他の薬等が飛び出すことが少なく、衛生的に管理する。また、収納容器３は、透明乃至半透明である為、外部から薬等を確認し易く、服用者の家族や看護士、介護人が、服用者が正しい時間帯に薬を服用したか容易に判別でき、管理が容易であるというメリットもある。しかも、収納容器３は、支持盤６から取外して、携帯して持ち運ぶこともできる。
【００１８】
次に、本発明の他の実施形態について説明する。
図８と図９に示すように、引出し部２を有するケース本体１と、複数の薬室４が形成されると共に各薬室４毎に蓋５を有する収納容器３と、ケース本体１上に載置されると共に７個の収納容器３を着脱自在に保持する受皿状支持盤６とを、備えている。
図８と図９では、引出し部２の前面に、着脱自在の取付盤２６が付設されている。
取付盤２６は、前方突出状のフック２７，２７が一体形成されており、かつ、前面にホワイトボード８を有し、このホワイトボード８の下方位置にトレー２８を設けている。ホワイトボード８は、粘着剥離自在に取り付けるも良く、取付盤２６に一体形成するも好ましい。トレー２８は、水性ペン９を載置できるように構成されている。
取付盤２６は、裏面に引掛片２６Ａ，２６Ａを突設している。取付盤２６は、引出し部２の上端縁部の左右両端位置に引掛片２６Ａ，２６Ａを掛着して、引出し部２の前面に取付けられている。また、取付盤２６は、下方突出状の差込片２９，２９が形成されている。
【００１９】
図１０に示すように、収納容器３は、透明又は半透明の合成樹脂から成り、４つの薬室４を備え、その各々に開閉自在の蓋５を有している。
図１０では、収納容器３は、その上端部と下端部の左右方向中間位置に切欠部３３，３３が形成され、かつ、下方の舌片２０にスリット３４が形成されている。切欠部３３，３３は、前面の蓋５と後面の角部に、上下２箇所ずつ前後一対に形成されている。収納容器３の薬室４には、各々に１回服用分の薬を収納し、１個の収納容器３で１日分の薬を収納可能である。収納容器３は、コンパクトで携帯に便利であり、収納容器３に上下方向に輪ゴムＲ（図１１参照）を取着して持ち運べば、落下した場合であっても薬室４から薬が飛び出さずに済む。この際、切欠部３３，３３とスリット３４に、輪ゴムＲを係止することで、輪ゴムＲが左右方向にズレて外れるのを防ぎ、蓋５が開くのを確実に防止できる。
また、蓋５には、各々に係止片１３が形成されている。係止片１３は、側方に突出する小突片３６と、弾性片３７とを有している。小突片３６は、蓋５を開ける際、指の引っ掛かりを良くする為に設けられている。
【００２０】
図１１に示すように、支持盤６は、ケース本体１の上に、傾斜状に載置することができる。支持盤６は、裏面に差込片部材２２を取付けて支持されている。
取付盤２６は、差込片２９，２９を支持盤６の孔部に差し込んで、一体状に取り付けて使用できる。取付盤２６のフック２７には、カード型包装体３０を吊して取付けられている。
【００２１】
以上のように、本発明に係る薬収納器は、引出し部２を有するケース本体１と、複数の薬室４が形成されると共に各薬室４毎に蓋５を有する収納容器３と、ケース本体１上に載置されると共に７個の収納容器３を着脱自在に保持する受皿状支持盤６とを、備えたので、７個の収納容器３の各薬室４に薬やサプリメントを入れて支持盤６に取付けておくことで、１週間分の薬等の服用を管理でき、飲み忘れを防ぐことができ、かつ、収納容器３に入りきらない薬等はケース本体１の引出し部２に入れて保管できる。収納容器３の薬室４の蓋５を１個ずつ開けて、１回服用分の薬等を容易に取り出すことができ、薬やサプリメントが飛び出すリスクを軽減して衛生的に管理できる。また、収納容器３を携帯して持ち運ぶこともできる。４週間に１回服用する薬をケース本体１の見え易い所に設置しておくことで、薬の飲み忘れを防止でき、医師や薬剤師の指示どおり適正に薬を服用することができる。
【００２２】
また、引出し部２の前面に、フック部材７を取付けている、又は、フック２７を着脱自在としたので、カード型包装体３０を吊して取付けることができ、例えば、カード型包装体３０に収容された固形医薬品Ｍが４週間に１回だけ服用するものである場合には、引出し部２の前面に設置して４週間に１回の薬の服用の注意を喚起し、高齢者や感覚の衰えた服用者の飲み忘れを防止できる。
【００２３】
また、帯板状のホワイトボード８が、引出し部２の前面に付設され、かつ、水性ペン９が、ケース本体１に着脱自在に取付けられているので、例えば、ホワイトボード８に水性ペン９で、４週間に１回の薬を服用する予定の日を書いておくことで、薬の服用の注意を喚起し、高齢者や感覚の衰えた服用者の飲み忘れを防止できる。
【００２４】
また、付箋引出し台紙１０が、ケース本体１に付設されているので、例えば、カード型包装体３０に付箋を貼り付けて、水性ペン９で、付箋に、４週間に１回の薬を服用する予定の日を書いておくことで、薬の服用の注意を喚起し、高齢者や感覚の衰えた服用者の飲み忘れを防止できる。
【００２５】
また、支持盤６は、側壁部６Ａ又は底壁部６Ｂに鋼板１９を有し、かつ、収納容器３の長手方向一端面３Ａ又は裏面３Ｂにマグネット１８を付設し、収納容器３は、マグネット１８を鋼板１９に吸着させて支持盤６に保持されているので、収納容器３を支持盤６に簡単に取り付けることができ、かつ、支持盤６を鉛直状姿勢としても、又は、支持盤６が不意に転倒しても、収納容器３が支持盤６に保持され、落下の危険性を低減できる。
【符号の説明】
【００２６】
１  ケース本体
２  引出し部
３  収納容器
３Ａ  長手方向一端面
３Ｂ  裏面
４  薬室
５  蓋
６  支持盤
６Ａ  側壁部
６Ｂ  底壁部
７  フック部材
８  ホワイトボード
９  水性ペン
１０  付箋引出し台紙
１４  鉤部
１８  マグネット
１９  鋼板
２７  フック
【図１】
2015000101.tif 000003
【図２】
2015000101.tif 000004
【図３】
2015000101.tif 000005
【図４】
2015000101.tif 000006
【図５】
2015000101.tif 000007
【図６】
2015000101.tif 000008
【図７】
2015000101.tif 000009
【図８】
2015000101.tif 000010
【図９】
2015000101.tif 000011
【図１０】
2015000101.tif 000012
【図１１】
2015000101.tif 000013